(57)【要約】  【課題】  ＲＦＩＤリーダ機能付き画像読取装置用に好適な、ＩＣタグ情報読取用アンテナを提供する。  【解決手段】  電磁誘導型のＲＦＩＤリーダ機能付き画像読取装置用のＩＣタグ情報読取用アンテナであって、原稿台ガラスの周縁部分にアンテナパターンが形成されてなることを特徴とする、ＩＣタグ情報読取用アンテナ、およびこのＩＣタグ情報読取用アンテナを原稿台ガラスとして用いる電磁誘導型のＲＦＩＤリーダ機能付き画像読取装置。【選択図】  図１
2010068252.tif 000002
【特許請求の範囲】
【請求項１】
電磁誘導型のＲＦＩＤリーダ機能付き画像読取装置用のＩＣタグ情報読取用アンテナであって、原稿台ガラスの画像読取り範囲の外側の周縁部分にアンテナパターンが形成されてなることを特徴とする、ＩＣタグ情報読取用アンテナ。
【請求項２】
前記ＩＣタグ情報読取用アンテナを備えたことを特徴とする、電磁誘導型のＲＦＩＤリーダ機能付き画像読取装置。
【発明の詳細な説明】
【技術分野】
【０００１】
本発明は、ＲＦＩＤリーダ機能付き画像読取装置に用いられる電磁誘導型のＩＣタグ情報読取用アンテナおよびそれを備えたＲＦＩＤリーダ機能付き画像読取装置に関する。特に、電磁誘導型のＲＦＩＤリーダ機能付きフラッドベッド型画像読取装置に好適に用いられる電磁誘導型のＩＣタグ情報読取用アンテナに関する。
【背景技術】
【０００２】
近年、セキュリティ向上の観点から、カード媒体にＩＣタグを備えたものを用い、ＲＦＩＤリーダ機能を有する画像読取り装置によって、画像情報を読取るとともＩＣタグに記録されている情報（以下、ＩＣタグ情報）を読取って、カードの偽造防止や画像情報の改変防止を図ることが提案されている。
【０００３】
このようなＲＦＩＤリーダ機能を設けた画像読取装置として、例えば、画像読取ヘッドにＩＣタグ情報読取用アンテナを備える例（特許文献１）があり、フラットベッド型画像読取装置および読取用アンテナが開示されている。
【０００４】
また、同様に読取ヘッドにＩＣタグ情報読取用アンテナを備える例として、特許文献２や特許文献３に開示されているようなものがある。
【０００５】
【特許文献１】特開２００７−１１０４６３号公報
【特許文献２】特開２００１−０２４８４５号公報
【特許文献３】特開２００５−２０８５７５号公報
【発明の開示】
【発明が解決しようとする課題】
【０００６】
しかしながら、画像読取装置の読取ヘッドに、読取ヘッド主走査方向に延びた形状を有する電磁誘導型のＩＣタグ情報読取用アンテナを設けると、ＩＣタグ情報を良好に読取りできない場合がある。これは、画像読取装置の読取ヘッドが主走査方向に長い（画像読取部の幅方向）一方で、副走査方向（前記読取ヘッドの走査方向）については短い形状を有するために、前記読取ヘッドに設けられるＩＣタグ情報読取用アンテナの形状も前記主走査方向に長く前記副走査方向に短いループ形状になることに起因する。
【０００７】
電磁誘導型のＲＦＩＤシステムにおいては、ＩＣタグ情報読取用アンテナから発生する磁束がＩＣタグのアンテナエレメント部のループ内をその法線方向に貫通する配置にあることが良好な検出のため必要である。ここで前記ＩＣタグ情報読取用アンテナの形状が前記主走査方向に長く前記副走査方向に短いループ形状であるときには、前記ＩＣタグのアンテナエレメント部のループが前記ＩＣタグ情報読取用アンテナの副走査方向の幅より大きいことがある。その場合においては、図３に示すようにＩＣタグ情報読取用アンテナのアンテナパターン３３から発生する磁界１０１が前記法線方向の正負方向に存在することとなり、ＩＣタグのアンテナエレメント４１内部において正負方向の磁界が打消しあうため良好な検出がなされない。また、前記ＩＣタグのアンテナエレメント部のループが前記ＩＣタグ情報読取用アンテナの副走査方向の幅より小さい場合には、前記ＩＣタグのアンテナエレメントが小さいことから発生する磁界が弱くなるため、前記ＩＣタグ情報読取用アンテナが良好に検出できないことがある。
【０００８】
また、画像読取装置の読取ヘッドは画像読取部分を走査してその画像情報を読取るが、ＩＣタグ情報の読取には一定の時間を要するため、走査速度を一定以下に抑制することが必要になることもあり得る。
【課題を解決するための手段】
【０００９】
本発明は、電磁誘導型のＲＦＩＤリーダ機能付き画像読取装置用のＩＣタグ情報読取用アンテナであって、原稿台ガラスの画像読取り範囲の外側の周縁部分にアンテナパターンが形成されてなることを特徴とする、ＩＣタグ情報読取用アンテナである。かかる構成を有することにより、本発明にかかるＩＣタグ情報読取用アンテナは、画像読取部分に配置されたＩＣタグを良好に検出することができ、また、読取ヘッドの走査速度によらずＩＣタグ情報を読取ることができる。さらにまた本発明にかかるＩＣタグ情報読取用アンテナを原稿台ガラスとして用いれば、電磁誘導型のＲＦＩＤリーダ機能付き画像読取装置を実現することができる。
【００１０】
さらにまた本発明は、前記ＩＣタグ情報読取用アンテナを備えたことを特徴とする、前記ＲＦＩＤリーダ機能付き画像読取装置である。かかる構成を有することにより、本発明にかかる電磁誘導型のＲＦＩＤリーダ機能付き画像読取装置は、画像情報の読取とＩＣタグ情報の読取を同時に良好に行うことができる。
【発明の効果】
【００１１】
本発明によれば、画像読取部分に配置されたＩＣタグを良好に検出することができ、また、読取ヘッドの走査速度によらずＩＣタグ情報を読取ることができる。また本発明によれば、かかる機能を有する電磁誘導型のＲＦＩＤリーダ機能付き画像読取装置を容易に実現することができる。
【発明を実施するための最良の形態】
【００１２】
以下においては、実施例に基づいて本発明を説明する。図１は、本発明にかかるＩＣタグ情報読取用アンテナが使用される状況の概観図である。図１に示すとおり、画像読取装置１には読み取りヘッド２が備えられており、原稿台ガラス３は画像読取部分３１および画像読取装置１の筐体に隠れる周縁部分３２に区分けされ、アンテナパターン３３（図示せず）は周縁部分３２に形成されている。読取対象となるＩＣタグを備えたカード４はアンテナエレメント４１およびＩＣタグ４２を備えている。
【００１３】
原稿台ガラス３には透明な板ガラスが好適に用いられ、その寸法、厚みは画像読取装置の寸法に合わせて適宜決められる。画像読取部分３１およびその外側の周縁部分３２の寸法形状も、同様に画像読取装置の寸法、対象となる画像の大きさに応じて適宜決められる。
【００１４】
アンテナパターン２１は、ＩＣタグ情報読取用アンテナとして動作するよう、ＲＦＩＤリーダの性能および対象とするＩＣタグの性能に応じて、金属等の導体をループ状の形状に成形したものが用いられる。例として、最も簡単な単ループ形状のアンテナパターンを図２に示す。
【００１５】
アンテナパターン２１は、導電性ペーストをスクリーン印刷等の方法により板ガラスの表面に所定の寸法形状および厚みに塗布した後焼成することにより好適に成形することができる。この方法によれば、任意形状のアンテナパターンを精度良く成形することが可能である。他の方法として、金属線をループ上に加工してアンテナパターンを形成した後に板ガラス表面に固定する方法や、金属箔を所定寸法に切り出して板ガラス表面に固定する方法、金属膜等の導電膜を板ガラス表面に成膜して不用部分をエッチング等の方法で除去するか、あるいはマスク成膜の方法によりアンテナパターンを形成する方法がある。
【００１６】
アンテナパターン２１の電気特性は、導電体の寸法形状、厚みによって定まるが、送信動作時に大きな電流が流れることから低抵抗であることが望ましく、たとえば端子間抵抗値が１Ω以下、より好ましくは０．１Ω以下とする。
【００１７】
以下実施例により本発明をさらに詳細に説明するが、本発明は実施例の記載に制限されるものではない。
【実施例１】
【００１８】
日本板硝子株式会社製フロート板ガラス（寸法３００ｍｍ×２００ｍｍ，厚み３ｍｍ）に、図２の形状のアンテナパターンを外形寸法で縦２００ｍｍ×横１３０ｍｍ、とし、図２の上部および左右部は幅１０ｍｍ、下部は幅２０ｍｍ（中央の間隙幅５ｍｍ）、全体の塗布厚みを１ｍｍとして市販の銅導電性ペーストを塗布し、その後焼成して抵抗値０．１Ωの単ループ形状のアンテナパターンを形成した。これにＲＦＩＤリーダ（株式会社ＰＦＵ製、型番ｆｉ−６０Ｆ）に接続し、ガラス表面にＩＣカードＡ〜Ｄ（Ａ：ＩＳＯ１５６９３に規定のＩＣタグ、Ｂ：ＩＳＯ１４４４３に規定のｔｙｐｅＡ、Ｃ：ＩＳＯ１４４４３に規定のｔｙｐｅＢ、Ｄ：Ｆｅｌｉｃａ（登録商標））を置き、出力１ＷにてＩＣタグ情報の読取を試みた。表１に記載の通り、すべて良好な結果となった。
【００１９】
【表１】
2010068252.tif 000003
（比較例１）
【００２０】
読取ヘッドにアンテナパターンを形成した場合を模して、実施例１と同様にして、５０ｍｍ×２００ｍｍの板ガラスに外形寸法２０ｍｍ×１３０ｍｍ，幅５ｍｍの比較用アンテナパターンを形成した。フロート板ガラス（寸法３００ｍｍ×２００ｍｍ，厚み３ｍｍ）表面にＩＣタグを置き、前記比較用アンテナパターンを用いて実施例１と同様に読取を試みた。このとき、読取ヘッドの走査動作を模して、比較用アンテナパターンを前記フロート板ガラスの裏面に配し、一定速度で移動させながら測定した。ＩＣタグＡ，Ｂは移動速度が１００ｍｍ／秒程度以下であれば読取が可能であったが、ＩＣタグＣ，Ｄは移動速度を１０ｍｍ／秒以下にしても読取ができなかった。
【産業上の利用可能性】
【００２１】
本発明にかかる電磁誘導型のＩＣタグ情報読取アンテナは、電磁誘導型のＲＦＩＤリーダ機能付き画像読取装置に用いることができる。特に、従来からある画像読取装置の原稿台ガラスとして用いれば、さらにＲＦＩＤリーダを接続ないし内蔵することにより、容易に電磁誘導型のＲＦＩＤリーダ機能付き画像読取装置を実現することができる。
【図面の簡単な説明】
【００２２】
【図１】本発明のＩＣ情報読取用アンテナを画像読取装置に取り付けて用いる場合の概観図。
【図２】本発明にかかるアンテナパターンの形状の例。
【図３】読取ヘッドにＩＣタグ情報読取用アンテナを形成した場合の使用時の磁界分布の説明図。
【符号の説明】
【００２３】
１  画像読取装置（筐体）
２  画像読取ヘッド
３  原稿台ガラス
４  ＩＣカード
３１  画像読取範囲
３２  周縁範囲
３３  ＩＣタグ情報読取用アンテナパターン
４１  ＩＣタグのアンテナエレメント部
４２  ＩＣタグのＩＣ部分
１０１  ＩＣタグ情報読取用アンテナから発生する磁界（点線）
【図１】
2010068252.tif 000004
【図２】
2010068252.tif 000005
【図３】
2010068252.tif 000006